(57)【要約】【課題】熟練者である必要もなく、確実に自動的に印刷パラメータを変更できて、プリント基板への塗布剤の塗布量が良好な印刷が行えるようにすること。【解決手段】レーザー光源５６はプリント基板Ｐ上に塗布されたクリーム半田にレーザー光を照射しながら、またその反射光を検査用カメラ５５が撮像しながら移動して、認識処理装置５７の認識処理結果に基づいて、制御部５０は各クリーム半田の体積を演算して内蔵する記憶部に演算結果を格納すると共にスクリーン印刷機３０の制御部３３の内蔵する記憶部にも格納される。この計測体積が過小基準体積より小さいか否かが制御部３３が判定し、小さければ次に中央部の高さのみが低いか否かが判定される。そして、中央部の高さのみが低い「えぐれ」があると制御部３３が判定すると、制御部３３は印圧を低く設定する。【選択図】図４
2010125716.tif 000002
【特許請求の範囲】
【請求項１】
スクリーン板上の塗布剤をスキージを移動させることにより、前記スクリーン板に開設された印刷パターン孔を介してプリント基板上に塗布するスクリーン印刷機において、前記プリント基板上に塗布された塗布剤の量を検査する検査装置と、この検査装置により検査された量に基づいて必要がある場合には印刷パラメータを補正して印刷するように制御する制御装置とを設けたことを特徴とするスクリーン印刷機。
【請求項２】
スクリーン板上の塗布剤をスキージを移動させることにより、前記スクリーン板に開設された印刷パターン孔を介してプリント基板上に塗布するものであって、前記スクリーン板に付着した塗布剤をクリーニングシートで拭き取って清掃するクリーニング装置を備えたスクリーン印刷機において、前記プリント基板上に塗布された塗布剤の量を検査する検査装置と、この検査装置による検査量が所定量を超えることが前記クリーニング装置による清掃直前に多い場合には前記クリーニング装置による清掃の頻度を上げるように制御する制御装置とを設けたことを特徴とするスクリーン印刷機。
【発明の詳細な説明】
【技術分野】
【０００１】
本発明は、クリーン板上の塗布剤をスキージを移動させることにより、前記スクリーン板に開設された印刷パターン孔を介してプリント基板上に塗布するスクリーン印刷機に関し、またスクリーン板上の塗布剤をスキージを移動させることにより、前記スクリーン板に開設された印刷パターン孔を介してプリント基板上に塗布するものであって、前記スクリーン板に付着した塗布剤をクリーニングシートで拭き取って清掃するクリーニング装置を備えたスクリーン印刷機に関する。
【背景技術】
【０００２】
この種のスクリーン印刷機は、例えば特許文献１などに開示されているが、一般に良好な印刷の状態を得るために、作業者は試し刷りをして、その印刷状態を肉眼で見て、スキージによる印圧、印刷速度等の印刷パラメータを変更していた。
【特許文献１】特開平１０−１９３５６１号公報
【発明の開示】
【発明が解決しようとする課題】
【０００３】
しかし、作業者にとって、この変更作業には経験が必要であり、また甚だ面倒な熟練作業であった。
【０００４】
そこで本発明は、熟練者である必要もなく、確実に自動的に印刷パラメータを変更できて、プリント基板への塗布剤の塗布量が良好な印刷が行えるようにすることを目的とする。
【課題を解決するための手段】
【０００５】
このため第１の発明は、スクリーン板上の塗布剤をスキージを移動させることにより、前記スクリーン板に開設された印刷パターン孔を介してプリント基板上に塗布するスクリーン印刷機において、前記プリント基板上に塗布された塗布剤の量を検査する検査装置と、この検査装置により検査された量に基づいて必要がある場合には印刷パラメータを補正して印刷するように制御する制御装置とを設けたことを特徴とする。
【０００６】
また第２の発明は、スクリーン板上の塗布剤をスキージを移動させることにより、前記スクリーン板に開設された印刷パターン孔を介してプリント基板上に塗布するものであって、前記スクリーン板に付着した塗布剤をクリーニングシートで拭き取って清掃するクリーニング装置を備えたスクリーン印刷機において、前記プリント基板上に塗布された塗布剤の量を検査する検査装置と、この検査装置による検査量が所定量を超えることが前記クリーニング装置による清掃直前に多い場合には前記クリーニング装置による清掃の頻度を上げるように制御する制御装置とを設けたことを特徴とする。
【発明の効果】
【０００７】
本発明は、熟練者である必要もなく、確実に自動的に印刷パラメータを変更できて、プリント基板への塗布剤の塗布量が良好な印刷が行えるようにすることができる。
【発明を実施するための最良の形態】
【０００８】
以下、本発明の具体的な実施形態を図面を参照しながら説明する。図１に示すスクリーン印刷機３０は、プリント基板Ｐ上に塗布剤であるクリーム半田を印刷するためのもので、装置本体１上に設置された基板支持ユニット２と、この基板支持ユニット２の上方に配され水平方向に延びるＹ軸方向（図１の左右方向）に移動するための移動機構を備えたスクリーン支持手段（図示せず）により支持されたスクリーン３と、基板支持ユニット２とスクリーン３との間に配され、基板支持ユニット２上に載置されたプリント基板Ｐの基板認識マークを撮像する基板認識カメラ５を備えると共にプリント基板を上から押圧して反りを矯正する基板矯正ユニットを備える基板矯正認識ユニット４と、スクリーン３に付されたスクリーン認識マークを撮像するスクリーン認識カメラ６と、スクリーン３の上方に配されてスキージ２７を備えた印刷機構７とを備えている。
【０００９】
前記基板支持ユニット２は、Ｘ軸方向、水平面内での角度方向、垂直方向に移動可能な移動機構（図示せず）と、プリント基板ＰをＸ軸の方向に搬送する基板搬送機構（図示せず）と、プリント基板Ｐを下方から支持するバックアップピンを備えてＺ方向に移動可能なバックアップテーブル２Ａと、プリント基板を側方から挟んで支持する（クランプする）一対の支持シュート２Ｂとを備えている。
【００１０】
前記基板矯正認識ユニット４はスクリーン３の下方位置とスクリーン３から退避する位置とのＹ軸方向（図１の左右方向）に移動可能であり、また基板矯正ユニットのみ垂直方向に移動可能である。
【００１１】
前記スクリーン３の図１の左斜め下方にはスクリーンクリーニングユニット１０が配設されている。このスクリーンクリーニングユニット１０は、スクリーン印刷機の装置本体１に設けられたガイドに沿って図示しない駆動源により右斜め上方へ、即ちスクリーン３に向けて移動可能である。
【００１２】
前記スクリーンクリーニングユニット１０は、前記スクリーン３の下面に付着したクリーム半田を拭き取るためのものであってクリーム半田を溶解させる溶剤を含ませることができる素材によって形成された長尺のクリーニングシート１４と、このクリーニングシート１４をスクリーン３の下面に圧接するとともにクリーニングシート１４におけるスクリーンに接触した部分の送り方向がスクリーン３の移動方向Ａと平行になるようにクリーニングシート１４を案内する圧接ヘッド１５と、供給ローラ１６にロール状に巻かれた状態のクリーニングシート１４を長さ方向に送る送り機構１３と、クリーニングシート１４に前記溶剤を吹出し供給する溶剤供給手段（前記圧接ヘッド１５と一体に形成されている。）と、拭き取ったクリーニングシート１４を巻き取る巻き取りローラ１９とを備えている。
【００１３】
前記スクリーンクリーニングユニット１０は、スクリーン印刷機の装置本体１に設けられたガイドに沿って図示しない駆動源により右斜め上方へ、即ちスクリーン３に向けて移動可能であり、移動させてスクリーンクリーニングユニット１０を停止させた状態で、スクリーン３をＹ軸方向（図１の左右方向）に往復移動させることにより、クリーニングシート１４をスクリーン３裏面を擦るように移動させて、溶剤をクリーニングシートに吹き付けてクリーム半田を溶解させては、クリーム半田をクリーニングシート１４に付着させて拭き取るように清掃する。
【００１４】
スクリーン３を介して前記基板支持ユニット２に載置されたプリント基板上に印刷を行う印刷機構７を図２に基づき説明すると、スクリーン印刷機にＹ軸方向（図１及び図２の左右方向）に移動可能に取り付けられたフレーム２０を有している。このフレーム２０には、各スキージ上下シリンダ２１によりＺ軸方向（図２の上下方向）に独立して移動する一対のスキージヘッド２３が対向するように取り付けられている。この各スキージヘッド２３の下部には、スクリーン３面に対して所定角度傾斜して支持されたスキージホルダー２５が設けられ、このスキージホルダー２５と押さえ板２６との間にスキージ２７が固定される。
【００１５】
また、前記スクリーン３は、前記プリント基板の所望の回路パターンに対応して穿設された印刷パターン孔が設けられたスクリーン板２８と、該板２８を囲む平面視矩形状のスクリーン枠２９とから構成される。プリント基板は、搬送コンベア（図示せず）によって、印刷位置に配置されたバックアップテーブル２Ａ上に載置されると共に印刷終了後にこのバックアップテーブル２Ａから搬出される。
次に、図３に基づき、スクリーン印刷機３０とプリント基板Ｐ上に塗布されたクリーム半田の量を検査する検査機３１との制御ブロックについて説明する。先ず、スクリーン印刷機３０について説明すると、３３はマイクロコンピュータから成る制御部であり、この制御部３３は各駆動回路３５、３６、３７、３８を介して前記基板支持ユニット２のバックアップテーブル２ＡをＸ軸方向に移動させるためのテーブルＸ軸駆動モータ４０及びバックアップテーブル２Ａをθ軸方向（水平面内での回転方向）に移動させるためのテーブルθ軸駆動モータ４１、前記スクリーン３をＹ軸方向に移動させるためのスクリーンＹ軸駆動モータ４２、前記印刷機構７（スキージ２７）をＹ軸方向に移動させるためのスキージＹ軸駆動モータ４３を制御する。また、前記制御部３３は、スキージ上下シリンダ２１を駆動してスキージ２７を上下動制御するための電空レギュレータ４４を制御する。
【００１６】
４６は前記制御部３３に接続される認識処理装置で、前記スクリーン認識カメラ６により撮像された画像の認識処理や、前記基板認識カメラ５により撮像された画像の認識処理が該認識処理装置４６にて行われ、制御部３３に両者の認識処理結果が送出される。すると、制御部３３において、認識処理結果に基づいて各基板認識マークの位置と各スクリーン認識マークの位置とを相対的に位置決めさせるべき位置ズレ量を演算し、内蔵する記憶部に演算結果を格納する。従って、この位置ズレ量に基づいて、制御部３３はテーブルＸ軸駆動モータ４０及びテーブルθ軸駆動モータ４１を制御すると共にスクリーンＹ軸駆動モータ４２を制御することにより、プリント基板Ｐとスクリーン３の相対的な位置ズレを補正して位置決めする。
【００１７】
４７はクリーニングカウンタで、印刷動作毎に１インクリメントして印刷枚数を計数し、制御部３３はこのクリーニングカウンタ４７の計数内容を把握して、例えば印刷動作が５枚なされる度にスクリーンクリーニングユニット１０によりスクリーン３を清掃するように制御する。
【００１８】
そして、スクリーン印刷機３０と検査機３１とは通信ポート４８、４９を介して通信が可能となる。この検査機３１について説明すると、５０はマイクロコンピュータから成る制御部であり、この制御部５０は各駆動回路５１、５２を介して検査用カメラ５５をＸ軸方向に移動させるためのカメラＸ軸駆動モータ５３及び同じく検査用カメラ５５をＹ軸方向に移動させるためのカメラＹ軸駆動モータ５４を制御する。
【００１９】
５６は印刷パターン孔を介してプリント基板Ｐ上に塗布された各クリーム半田にレーザー光をプリント基板Ｐの上面である水平面に対して４５度傾斜した位置から照射するレーザー光源で、このレーザー光源５６はクリーム半田を撮像する検査用カメラ５５と共にＸＹ方向に移動可能である。具体的には、進行方向に対して４５度傾斜した状態で進行しながらレーザー光を照射して、クリーム半田の表面からの反射光を検査用カメラ５５が撮像し、認識処理装置５７が複数枚の撮像画像に基づいて認識処理して立体画像として処理する。
【００２０】
従って、傾斜した状態でレーザー光をクリーム半田に照射しながら、検査用カメラ５５が複数枚撮像するものであるから、陰影から立体として把握できるので、制御部５０が認識処理装置５７の認識処理結果に基づいて各クリーム半田の体積を演算でき、内蔵する記憶部に演算結果を格納する。また、この演算結果は通信ポート４９、４８を介してスクリーン印刷機３０の制御部３３に送信され、この制御部３３の内蔵する記憶部に格納される。
【００２１】
次に、上記のスクリーン印刷機の動作を説明する。スクリーン３の下方に基板矯正認識ユニット４があり、搬送装置によってプリント基板Ｐは基板支持ユニット２の基板搬送機構に移載されると共に移動搬送され、基板矯正認識ユニット４に垂下されたストッパーピンに係止して位置決めされて停止する。スクリーン３と基板支持ユニット２との間に位置していた基板矯正認識ユニット４の基板矯正ユニットを下降させると共にバックアップテーブル２Ａを一段上昇させて、一対の支持シュート２Ｂ間に位置させたプリント基板をこの支持シュート２Ｂが側方から挟んで支持する。
【００２２】
次いで、一対の支持シュート２Ｂに側方から挟まれた状態のプリント基板Ｐを更に上昇するバックアップテーブル２Ａが上昇させる。これにより、プリント基板Ｐをバックアップテーブル２Ｂと基板矯正ユニットの押圧ピンとの間で挟むようにして、この状態を一定時間維持してプリント基板Ｐの反りを矯正する。そして、基板矯正ユニットが上昇して、基板矯正認識ユニット４はスクリーン３から退避する。
【００２３】
そして、スクリーン認識カメラ６によりスクリーン３に付されたスクリーン認識マークを撮像すると共に基板認識カメラ５によりプリント基板Ｐに付された基板認識マークが撮像されて、認識処理装置４６がこれらの画像を認識処理し、制御部３３に両者の認識処理結果が送出される。すると、制御部３３において、認識処理結果に基づいて各基板認識マークの位置と各スクリーン認識マークの位置とを相対的に位置決めさせるべき位置ズレ量を演算し、内蔵する記憶部に演算結果を格納すると共に、この位置ズレ量に基づいて、制御部３３はテーブルＸ軸駆動モータ４０及びテーブルθ軸駆動モータ４１を制御すると共にスクリーンＹ軸駆動モータ４２を制御することにより、プリント基板Ｐとスクリーン３の相対的な位置ズレを補正して位置決めする。
【００２４】
そして、基板支持ユニット２を上昇させて、一対の支持シュート２Ｂで支持された状態のプリント基板Ｐをスクリーン３の下面に密着させ、印刷機構７を動作させて、スキージ２７がクリーム半田をスクリーン３の印刷パターン孔を介してプリント基板Ｐ上に印刷を行う。
【００２５】
即ち、一方のスキージ上下シリンダ２１を下降させて（図２参照）、スキージＹ軸駆動モータ４３を駆動させることにより、スキージ２７がＹ方向に移動しながらクリーム半田をスクリーン３の印刷パターン孔を介してプリント基板Ｐ上に印刷する。この印刷の後、基板支持ユニット２Ｂを下降させ、版離れさせる。
【００２６】
このようにして、プリント基板Ｐへクリーム半田の印刷動作がなされるが、この印刷を繰り返して行ううちに、印刷パターン孔に残されたクリーム半田がスクリーン３の下面側ににじみ出て、スクリーン３の下面に付着することがある。このために、クリーニングカウンタ４７が計数して印刷枚数が、例えば５枚となると、スクリーン３からクリーム半田を拭き取ってスクリーン３の清掃を行う必要があり、以下説明する。
【００２７】
先ず、スクリーン３を前方、即ち図１の左方のクリーニング位置へ移動させ、スクリーンクリーニングユニット１０をスクリーン印刷機の装置本体１に設けられたガイドに沿って、駆動源により右斜め上方へ、即ちスクリーン３に向けて移動させる。すると、スクリーンクリーニングユニット１０の上昇により、圧接ヘッド１５のヘッド本体上面がクリーニングシート１４をスクリーン３の下面に圧接させた状態となる。
【００２８】
そして、容器内の溶剤に供給ポンプの駆動により圧力を掛けると、溶剤が圧接ヘッド１５のヘッド本体の上面に開設された溶剤吹出口から吹出し、溶剤をクリーニングシート１４に吹き付けることができる。また、吸引源を駆動させると、スクリーン３に接触した状態のクリーニングシート１４の裏面に前記圧接ヘッド１５の吸引口が密着して、スクリーン３に付着したクリーム半田をクリーニングシート１４を介して吸引することとなり、この吸引をしながらスクリーン３を図１の左右方向にスクリーンＹ軸駆動モータ４２により往復移動させると、拭き取り面となる圧接ヘッド１５のヘッド本体上面がクリーニングシート１４をスクリーン３裏面に擦るようにして、スクリーン３の印刷パターン孔から下面まで出てきたクリーム半田をクリーニングシート１４に付着させて、清掃することができる。
【００２９】
なお、スクリーンクリーニングユニット１０を往復移動させてクリーニングしてもよいし、そのときのクリーニング速度はスクリーンクリーニングユニット１０の移動速度でよい。
【００３０】
そして、スクリーン３の全印刷範囲の清掃が終了すると、スクリーン３の往復移動を停止させ、スクリーンクリーニングユニット１０を左斜め下方へ移動させ、スクリーンクリーニングユニット１０をスクリーン３から離れさせて、クリーニングは終了する。
ここで、図４に示すフローチャートに基づき、印刷後の検査結果画像に基づく印刷パラメータの自動補正動作について、以下説明する。先ず、プリント基板Ｐ上に塗布されたクリーム半田の体積を計測する。即ち、レーザー光源５６及び検査用カメラ５５が計測するクリーム半田の上方において、進行方向に対して４５度傾斜した状態で進行するが、このときレーザー光源５６はクリーム半田にレーザー光を照射しながら、またその反射光を検査用カメラ５５が撮像しながら移動する。そして、検査用カメラ５５が撮像し、認識処理装置５７が複数枚の撮像画像に基づいて認識処理して立体画像として処理して、この認識処理装置５７の認識処理結果に基づいて、制御部５０は各クリーム半田の体積を演算し、内蔵する記憶部に演算結果を格納すると共に、この演算結果は通信ポート４９、４８を介してスクリーン印刷機３０の制御部３３に送信され、この制御部３３の内蔵する記憶部にも格納される。
【００３１】
このようにして、体積が把握できるので、初めにこの計測体積が過小基準体積（制御部３３の内蔵する記憶部に格納されている。）より小さいか否かがスクリーン印刷機３０の制御部３３が判定し、小さければ次に中央部の高さのみが低いか否かが判定される。そして、矢印Ａで示されたクリーム半田の断面のように、中央部の高さのみが低い「えぐれ」があると制御部３３が判定すると、制御部３３は印圧を低く設定する。即ち、制御部３３の記憶部に格納された印圧基準値より１段階低く設定する。
【００３２】
そして、この変更後の設定値が自動変更の範囲内であれば、この設定値に変更され、制御部３３の記憶部にこの変更後の設定値が格納される。しかし、自動変更の範囲外であれば、オペレータ（作業者）に報知手段を介して報知し、これを知ったオペレータは設定値変更実施の可否を確認し、オペレータが設定値変更を実施すると判断し、図示しない、例えばモニタのタッチパネルスイッチを操作した場合にはこの設定値に変更され、設定値変更を実施しないと判断した場合には設定値変更をせずに、前の印圧のままで変更をしない。
【００３３】
従って、制御部３３は以後のスクリーン印刷の際に、この新たに設定された印圧でスキージ２７が印刷するように、電空レギュレータ４４を制御することにより、極力「えぐれ」を解消することができる。
【００３４】
そして、計測体積が過小基準体積より小さいが、中央部の高さのみが低いものではないと判定されると、次にクリーム半田の塗布量の印刷方向に偏りがあるか否かが判定される。この場合、矢印Ｂで示されたクリーム半田の断面のように、印刷の進行方向における奥側部分は通常通りであるが、手前部分は薄く印刷されていて、クリーム半田の塗布量が印刷方向に偏りがあると判定されると、制御部３３は印圧速度を下げるように設定する。即ち、制御部３３の記憶部に格納された速度基準値より１段階低く設定する。
【００３５】
そして、前述したように、この変更後の設定値が自動変更の範囲内であれば、この設定値に変更され、制御部３３の記憶部にこの変更後の設定値が格納される。しかし、自動変更の範囲外であれば、オペレータ（作業者）に報知手段を介して報知し、これを知ったオペレータは設定値変更実施の可否を確認し、オペレータが設定値変更を実施すると判断し、上述したように、タッチパネルスイッチを操作した場合にはこの設定値に変更され、設定値変更を実施しないと判断した場合には設定値変更をせずに、前の印刷速度のままで変更をしない。
【００３６】
従って、制御部３３は以後のスクリーン印刷の際に、この新たに設定された印刷速度でスキージ２７が印刷するように、駆動回路３８を介してスキージＹ軸駆動モータ４３を制御することにより、クリーム半田の転写不足による印刷方向の偏りを極力解消することができる。
【００３７】
そして、計測体積が過小基準体積より小さいが、中央部の高さのみが低いものではなく、印刷方向にクリーム半田の塗布量が偏ってないと判定されると、次にプリント基板Ｐに塗布されたクリーム半田の量不足が点在して部分的に発生しているか否かが判定される。この場合、塗布されたクリーム半田の量不足が点在して部分的に発生していると判定されると、印刷パターン孔からのクリーム半田の抜け不良が点在して発生しているものであって、スクリーン３のクリーニングを実施する。但し、この実施の前にオペレータ（作業者）に報知手段を介して報知することにより、実際にこのクリーニングを実施するか否かの判断はオペレータに委ねられる。
【００３８】
即ち、クリーニングを実施すると判断された場合には、制御部３３はスクリーンクリーニングユニット１０によりクリーニングするように制御することにより、以後のスクリーン印刷の際には、印刷パターン孔からのクリーム半田の抜け不良が点在して発生していた事態を極力解消することができる。
【００３９】
そして、計測体積が過小基準体積より小さいが、中央部の高さのみが低いものではなく、印刷方向にクリーム半田の塗布量が偏っておらず、印刷パターン孔からのクリーム半田の抜け不良が点在して発生していないと判定されると、次にプリント基板Ｐに塗布されたクリーム半田の量不足がスクリーン３のクリーニング直後にのみ発生しているか否かが判定される。これは、印刷パターン孔の開口側面に付着しているフラックスが、クリーニングにより減少されることによりクリーム半田の抜け不足が生じて、プリント基板Ｐに塗布されるクリーム半田の量が不足するために起こる現象である（クリーム半田塗布量の標準体積を１００とする図５参照）。即ち、クリーニングのタイミングを印刷枚数の５枚毎に行っている場合に、特にクリーニング直後の６枚目のクリーム半田の塗布量が過小となる。
【００４０】
従って、クリーム半田の塗布量不足がスクリーン３のクリーニング直後にのみ発生していると判定すると、クリーニングが強すぎると判断でき、クリーニング速度、即ちスクリーン３をスクリーンＹ軸駆動モータ４２により往復移動させるときの速度を上昇させ、且つクリーニングの頻度を上げるように制御する。即ち、制御部３３の記憶部に格納されたクリーニング速度基準値より１段階高く設定すると共にクリーニングのタイミングを印刷枚数の５枚毎から４枚毎とする。
【００４１】
そして、前述したように、この変更後の設定値が自動変更の範囲内であれば、この設定値に変更され、制御部３３の記憶部にこの変更後の設定値が格納される。しかし、自動変更の範囲外であれば、オペレータ（作業者）に報知手段を介して報知し、これを知ったオペレータは設定値変更実施の可否を確認し、オペレータが設定値変更を実施すると判断した場合にはこの設定値に変更され、設定値変更を実施しないと判断した場合には設定値変更をせずに、前のクリーニング速度基準値及びクリーニングのタイミングのままで変更をしない。
【００４２】
従って、以後のスクリーン印刷の際には、スクリーンＹ軸駆動モータ４２を制御することにより、またクリーニングの頻度を上げることにより、印刷パターン孔からのクリーム半田の抜けが良好となって、塗布量が不足する事態を極力解消することができる。
【００４３】
なお、初めにプリント基板Ｐ上に塗布されたクリーム半田の計測体積が過小基準体積より小さいか否かが制御部３３が判定した際に、大きいと判定された場合には、次に過大基準体積より大きいか否かが制御部３３により判定され、大きくないと判定されると印刷後の検査結果画像に基づく印刷パラメータの自動補正フローチャートは終了するが、大きい判定されると、次にクリーム半田の塗布量の過剰現象が起こるのがスクリーン３のクリーニング直前に多いか否かが判定される。
【００４４】
これは、印刷を繰り返すことで、印刷パターン孔の開口からスクリーン３下面にクリーム半田が廻り込み、スクリーン３下面とプリント基板との間に隙間ができ、クリーニングの頻度が不足しているためにクリーム半田の抜け量が多過ぎて、塗布されるクリーム半田の塗布量が過剰となる現象である（クリーム半田塗布量の標準体積を１００とする図６参照）。即ち、クリーニングのタイミングを印刷枚数の５枚毎に行っている場合に、特に４枚目の印刷を終えたときのクリーム半田の塗布量が過剰で多くなる。
【００４５】
従って、クリーム半田の塗布量の過剰現象がスクリーン３のクリーニング直前に多いと判定すると、クリーニングの頻度が不足しているものと判断でき、クリーニングの頻度を上げるように制御する。即ち、クリーニングのタイミングを印刷枚数の５枚毎から４枚毎とする。
【００４６】
そして、前述したように、この変更後の設定値が自動変更の範囲内であれば、この設定値に変更され、制御部３３の記憶部にこの変更後の設定値が格納される。しかし、自動変更の範囲外であれば、オペレータ（作業者）に報知手段を介して報知し、これを知ったオペレータは設定値変更実施の可否を確認し、オペレータが設定値変更を実施すると判断した場合にはこの設定値に変更され、設定値変更を実施しないと判断した場合には設定値変更をせずに、前のクリーニングのタイミングのままで変更をしない。
【００４７】
従って、以後のスクリーン印刷の際には、クリーニングの頻度を上げることにより、印刷パターン孔からのクリーム半田の抜けを以前より少し抑え、塗布量が過剰となる事態を極力解消することができる。
【００４８】
なお、以上の判定及びこの判定に基づく印刷パラメータの変更補正については、クリーム半田が塗布された全塗布点の、例えば２０％（変更可能に設定される。）が問題があると判定した場合に、この判定に基づいて印刷パラメータの変更補正をするようにしたり、また特定された塗布点（塗布点数を問わない。）や特定の領域内の塗布点（塗布点数を問わない。）について問題があると判定した場合に、この判定に基づいて印刷パラメータの変更補正をするようにしてもよい。
【００４９】
以上のように本発明によれば、熟練者である必要もなく、確実に自動的に印刷パラメータを変更できて、プリント基板への塗布剤の塗布量が良好な印刷が行えるようにすることができる。
【００５０】
なお、以上のような検査機３１を印刷機３０の下流に接続しても、印刷機３０に検査機３１と同等な機能を有する検査装置を設けてもよい。
【００５１】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００５２】
【図１】スクリーン印刷機の概略側面図である。
【図２】印刷機構の側面図である。
【図３】制御ブロックを示す図である。
【図４】フローチャートを示す図である。
【図５】クリーム半田の体積と印刷回数の関係を示す図である。
【図６】クリーム半田の体積と印刷回数の関係を示す図である。
【符号の説明】
【００５３】
３          スクリーン
７          印刷機構
１０        スクリーンクリーニングユニット
２７        スキージ
３０        スクリーン印刷機
３１        検査機
３３        制御部
４６        認識処理装置
５５        検査用カメラ
５６        レーザー光源
【図１】
2010125716.tif 000003
【図２】
2010125716.tif 000004
【図３】
2010125716.tif 000005
【図４】
2010125716.tif 000006
【図５】
2010125716.tif 000007
【図６】
2010125716.tif 000008